(57)【特許請求の範囲】
【請求項１】
第１の媒体挿入ステージより挿入される第１の媒体を取込み、内部に搬送する第１の媒体搬送路と、
該第１の媒体搬送路の上段側に設けられ、第２の媒体挿入ステージより挿入された第２の媒体を取込むときに、搬送して該第２の媒体の縦長さの計測するためのセンサを配した第２の媒体搬送路と、
前記第１の媒体は下段側の第１の媒体搬送路から前記第１の媒体挿入ステージ上に排出し、
前記第２の媒体は上段側の第２の媒体搬送路から前記第２の媒体挿入ステージ上に排出する媒体処理装置において、
前記第２の媒体の縦長さ情報に対しての排出位置情報を格納した記憶部を設け、
該排出位置情報は、搬送方向で位置の異なる少なくとも２箇所以上の位置情報とし、かつ、当該第２の媒体の縦長さが所定長のときには前記第２の媒体搬送路の内部側に設定しておき、
前記第２の媒体の取込み時に第２の媒体の縦長さを算出し、排出時には前記記憶部から第２の媒体の排出位置情報を読み出し、前記第２の媒体を当該排出位置情報に基づいて排出することを特徴とする媒体処理装置。
【発明の詳細な説明】
【０００１】
【発明の属する技術分野】
本発明は通帳や帳票および伝票等の処理媒体に対して、所定の位置に処理を行う媒体処理装置に関する。
【０００２】
【従来の技術】
金融機関で使用される通帳や伝票を処理（例えば印字）する媒体処理装置には特公平６−１５２５４号公報に示すようなものがある。上段に配した伝票の挿入口と下段に配した通帳の挿入口よりそれぞれ伝票と通帳が挿入される、通帳を取込み磁気ストライプの読取りを行った後、通帳は伝票の吸入の邪魔にならない位置に一旦退避させてから、伝票を吸入して印字ヘッドにより印字する。次に印字の完了した伝票を排出し、退避していた通帳を再度吸入して印字して磁気ストライプの書込みが行われて排出される。オペレータは排出された伝票と通帳を抜き取ることにより処理が完了する。
【０００３】
通帳と伝票による一部の取引において通帳１冊（同一口座の場合など）に対して、複数枚の伝票を処理する場合がある。本来であれば複数の取引として個別に処理すれば問題ないが、同じ通帳を複数回挿入して同様な処理を行うのは処理時間的に好ましくないので、「連続取引」として１取引（操作）を行っている。
【０００４】
【発明が解決しようとする課題】
このような媒体処理装置には次のような問題があった。媒体処理装置では上段側に伝票を挿入して印字し排出されるが、その伝票の縦長さにより伝票の後端が伝票の挿入口より垂れ下がり、通帳の挿入口側を覆ってしまうことがあり、通帳の排出が目視確認できないこと。また、縦長さによっては排出された伝票が手に取り難いという問題があった。本発明はこのような問題に対してなされたものであり、装置を大型化することなく排出した伝票の装置外への落下を防止し、取り出しの容易な媒体処理装置を提供することを目的としている。
【０００５】
【課題を解決するための手段】
第１の実施の形態では、第１の媒体挿入ステージより挿入される第１の媒体を取込み、内部に搬送する第１の媒体搬送路と、該第１の媒体搬送路の上段側に設けられ、第２の媒体挿入ステージより挿入された第２の媒体を取込むときに、搬送して該第２の媒体の縦長さの計測するためのセンサを配した第２の媒体搬送路と、前記第１の媒体は下段側の第１の媒体搬送路から前記第１の媒体挿入ステージ上に排出し、前記第２の媒体は上段側の第２の媒体搬送路から前記第２の媒体挿入ステージ上に排出する媒体処理装置において、
前記第２の媒体の縦長さ情報に対しての排出位置情報を格納した記憶部を設け、
該排出位置情報は、搬送方向で位置の異なる少なくとも２箇所以上の位置情報とし、かつ、当該第２の媒体の縦長さが所定長のときには前記第２の媒体搬送路の内部側に設定しておき、前記第２の媒体の取込み時に第２の媒体の縦長さを算出し、排出時には前記記憶部から第２の媒体の排出位置情報を読み出し、前記第２の媒体を当該排出位置情報に基づいて排出する。
【０００６】
【発明の実施の形態】
本発明の第１の実施の形態を説明する。図１は本発明の媒体処理装置の媒体挿入部を示す概略側面図で、図２は媒体処理装置全体を示す概略側面図である。また、図３は媒体処理装置の制御ブロック図であり、図４は伝票挿入部の斜視図で、図５はそのＣ−Ｃ矢視図である。なお、本実施の形態の媒体処理装置において使用可能な媒体寸法は図６に示す例の通りとする。
【０００７】
１は媒体処理装置であり、第１の媒体である通帳２を下段に、第２の媒体である伝票３を上段側から挿入可能な構成のものである。４はプレッシャローラであり対向して配置されているフィードローラ５と共に下側ガイド６ａ及び上側ガイド６ｂに設けられた穴部から第１の媒体搬送路（以後、通帳搬送路とする）７に突出可能に構成され、通帳挿入ステージ７ａから挿入される通帳２を挟持，圧接可能になっている。
【０００８】
８はプレッシャローラであり対向して配置されているフィードローラ９と共に第２の媒体搬送路（以後、伝票搬送路とする）１０に突出可能に構成され、伝票挿入ステージ１０ａに沿って挿入される伝票３を挟持,圧接可能になっている。なお、通帳搬送路７および伝票搬送路１０の横幅は媒体幅２１０ｍｍが搬送可能なように形成してある。
【０００９】
通帳搬送路７の上段に設けられた伝票搬送路１０は内部において合流している。その合流部１１には、図示しない駆動源によりシャフト１２ａを中心に回動して、搬送される通帳２又は伝票３を共通搬送路１３へと誘導するためのブレード１２がある。なお、本実施の形態では図示するように待機動作状態では通帳搬送路７と共通搬送路１３が接続されており、略一直線上になっている。
１４は挿入された通帳２に設けられた磁気ストライプの記録情報を処理する磁気ストライプリードライト部であり磁気ヘッド１４ａなどで構成される。１５は通帳２に設けられた頁マーク情報の読取処理などを行うページ・行読取センサである。
【００１０】
１６はフィードローラ５の回転により印字位置まで搬送された通帳２又は伝票３に対して印字を行うための印字ヘッドである。１７は印字ヘッド１６に対向配置されたプラテンである。１８は改頁部であり、通帳２の印字頁に印字可能行がなくなった場合に頁捲りを行うためのものである。
【００１１】
１９は通帳ＬＦモータ（ＬＦ：ラインフィード）であり、前述したフィードローラ５を回転させる動力源である。２０は伝票ＬＦモータであり、前述したフィードローラ９を回転させる動力源である。２１は共通ＬＦモータであり、共通搬送路１３における媒体搬送の駆動源であり、通帳ＬＦモータ１９および伝票ＬＦモータ２０のいずれかと同期をとって駆動される。
【００１２】
この通帳ＬＦモータ１９、伝票ＬＦモータ２０および共通ＬＦモータ２１はステッピング駆動が可能なモータ（ステッピングモータ）であり、１ステップで１／２４０インチ（０．１０５８３ｍｍ）の搬送が可能なものとする。なお、以下の説明において通帳ＬＦモータ１９又は伝票ＬＦモータ２０の回転時には共通ＬＦモータ２１も同時に同方向に回転していることとして、共通ＬＦモータ２１の回転については記述を省略する。
【００１３】
フィードローラ５，９はフィードシャフト５ａ，９ａに固着され同心度や外径寸度が厳密に製造，管理されており通帳ＬＦモータ１９、伝票ＬＦモータ２０の回転量を制御することにより挟持した通帳２や伝票３の搬送量を管理できる。
【００１４】
２２は通帳クランプマグネットであり、励磁することによりフィードローラ５とプレッシャローラ４が圧接状態となる。通帳クランプマグネット２２の励磁が停止されると図示しないスプリングの張力によりプレッシャローラ４はフィードローラ５から離れ、上側ガイド６ｂより上方に戻る。
【００１５】
２３は伝票クランプマグネットであり、フィードローラ９と対向して配置されているプレッシャローラ８とで伝票２を挟持するもので、細部は通帳側と同一であるので説明を省略する。第１の実施の形態においては、磁気ストライプリードライト部１４、ページ・行読取センサ１５、印字ヘッド１６及びプラテン１７等で構成される印字機構及び改頁部１８などの詳細な説明も省略する。
【００１６】
ＳＥ１は通帳挿入検出センサであり、発光ダイオードと受光トランジスタを対向配置し構成された光学検出器で通帳搬送路７と直交する方向に光軸を透過させてある。この光軸を通帳２が遮断することにより生じる受光トランジスタの出力変動を利用してＯＮ／ＯＦＦ信号を得るものである。ＳＥ２は伝票挿入検出センサであり、図示するように伝票３の挿入を検出する光学検出器で、伝票搬送路１０と直交する方向に光軸を透過させてある。この光軸を伝票３が遮断することにより生じる受光トランジスタの出力変動を利用してＯＮ／ＯＦＦ信号を得ることができる。以下同様に位置検出センサＳＥ３，４が通帳搬送路７の図示する位置に設けてある。
【００１７】
ＳＥ５は伝票挿入ガイド１０ｄの直近に設けられたスキュー検出センサである。ＳＥ６は伝票幅検出センサで伝票挿入ガイド１０ｄより１６０ｍｍ離れた位置に設けてあり、挿入された伝票３により光軸が遮断された時には、「伝票幅１６０ｍｍ以上」を意味するフラグ「１」をセットする。これらの各センサＳＥ２，ＳＥ５，ＳＥ６は発光ダイオードと受光トランジスタを対向配置し構成された光学検出器で伝票搬送路１０と直交する方向に光軸を透過させてある。伝票３により光軸が遮断されることにより生じる受光トランジスタの出力変動を利用してＯＮ／ＯＦＦ信号を得るのは前述したセンサと同一である。
【００１８】
通帳搬送路７や伝票搬送路１０および共通搬送路１３における各搬送系には通帳挿入検出センサＳＥ１および伝票挿入検出センサＳＥ２を“０”（ゼロ基準）としてその配設位置までの距離に応じた位置アドレスが付与されている。
【００１９】
２４は幅寄モータであり、その回転軸の一端には幅寄ローラ２５を固着している。この幅寄ローラ２５は外周部の一部に高摩擦部材で構成された突起部２５ａを有しており、幅寄ローラ２５が矢印Ｄ方向に回転すると、この突起部２５ａが伝票搬送路１０に突出する。摩擦部材で形成されるこの種のローラは公知（例えば、特公平３−７８２７７号）であるので説明は省略するが幅寄せの機能としては斜めに挿入された場合であっても伝票３は伝票挿入ガイド１０ｄに当接する際に、矯正され一側辺が密着できるものとする。
【００２０】
２６はアイドルローラであり、図示しない支持軸により自由回転が可能に軸支され、幅寄ローラマグネット２７が励磁されると伝票挿入ステージ１０ａ側から外周部の一部が突出し、前述した幅寄ローラ２５と対向する。なお、このアイドルローラ２６は幅寄ローラマグネット２７が励磁された時点には、上方に付勢されているが矢印Ｅ方向には自由に押し下げ可能になっている。
【００２１】
２８は幅寄モータ２４の回転軸のに固着されたディスク板であり、その一部には光透過穴２８ａを有している。この光透過穴２８ａに対応する位置には幅寄ホームポジション検出センサ（以後、幅寄ＨＰセンサとする）ＳＥ７が配設されており、光透過穴２８ａを光軸が通過するとＯＮ信号を得ることができる。この幅寄ＨＰ検出センサＳＥ７からの信号により幅寄モータ２４の停止位置及び回転量（数）を管理する。なお、原点位置において突起部２５ａは、伝票搬送路１０に突出していない位置となっている。また、幅寄ローラ２５は伝票３の最小横幅を考慮して配設されていることは言うまでもない。
【００２２】
３０はドライバ回路であり、前述した各モータ１９，２０，２１，２４及び各マグネット２２，２３，２７の駆動回路である。３１はアンプ回路であり、通帳挿入検出センサＳＥ１や伝票挿入検出センサＳＥ２等の増幅回路であり、制御部３２が各信号を検出することにより制御部３２からドライバ回路３０に駆動指示が発信されるようにプログラムされている。また、３３は各種の動作制御プログラムが格納されたＲＯＭやＣＤ−ＲＯＭ及び動作情報などを一時的に格納するＲＡＭなどで構成された記憶部である。以上説明した各部の他に、キーボード部や表示部及び電源部や上位装置との接続口であるインターフェース部等を有するが省略する。
【００２３】
図６（ａ）は本媒体処理装置で使用可能な媒体サイズ（縦寸法、横寸法）を示したもので、最小サイズが縦７６ｍｍ，横１０５ｍｍで、最大サイズは縦２９７ｍｍ，横２１０ｍｍ（Ａ４版）である。なお媒体連量は４０ｋｇから１３０ｋｇとする。図６（ｂ）は縦長さにより媒体を区分けしたものであり、後述する方法によって媒体長さを測定した結果に応じて、排出位置を制御するための説明表である。説明を簡素化するために、縦長さの測定値７５ｍｍ〜１３１ｍｍのものを符号Ｘ１とし、以下、縦長さに応じてＸ２〜Ｘ４を付している。フラグ“０”，“１”は媒体を横幅により区分けしたものであり、横幅１６０ｍｍ以上であるか否かによりフラグが設定される。（詳細は後述）
本発明の媒体処理装置における排出動作を図７に示す動作フローチャートと図８に示す媒体排出状態図により説明する。なお、Ｓは動作ステップを示す。通帳および伝票処理モードにおいて、係員が通帳挿入ステージ７ａから通帳２を挿入すると、通帳挿入検出センサＳＥ１がこれを検出する。また、伝票３が挿入されると伝票挿入検出センサＳＥ２がこれを検出することになる（Ｓ１）。まず、制御部３２はこの信号を受けて通帳クランプマグネット２２を励磁させて通帳２を挟持する（Ｓ２）。伝票３が挿入され伝票挿入検出センサＳＥ２がＯＮしていれば、伝票クランプマグネット２３を励磁させて伝票３を挟持する（Ｓ３）。
【００２４】
制御部３２が先に通帳吸入指示を発信すれば、通帳ＬＦモータ１９が回転駆動されて通帳２を磁気ストライプリードライト部１４まで吸入して、磁気ストライプ（ＭＳ）の読取りを行う（Ｓ４）。磁気ストライプの読取りが行われるとプラテン１７まで搬送され、印字ヘッド１６により印字処理が行われることになる（Ｓ５）。この搬送動作時にページ・行読取センサ１５により印字頁及び印字済み行の確認も行われる。印字すべき記帳データがなくなると、通帳２を通帳搬送路７内のブレード１２が動作しても触れない位置センサＳＥ３近傍まで搬送して待機状態に入る（Ｓ６）。
【００２５】
制御部３２は記憶部３３に記憶されている制御プログラムに従って、伝票３の「先端位置出し」動作を行う（Ｓ７）。先端位置出し動作は、まず伝票ＬＦモータ２０を逆回転させる。するとフィードローラ９の逆回転により伝票３は排出方向に移動し、間もなく伝票挿入検出センサＳＥ２がＯＦＦすることになる。伝票挿入検出センサＳＥ２がＯＦＦしてから所定パルス（例えば、１０パルス）で伝票ＬＦモータ２０の逆回転（ＢＬＦ；バックラインフィード）を停止させる。この位置での伝票３はプレッシャローラ８とフィードローラ９で挟持され、かつ、伝票挿入検出センサＳＥ２はＯＦＦ状態である。
【００２６】
制御部３２は伝票ＬＦモータ２１の回転を指示し、伝票３の吸入を開始する。約１０パルス程度の吸入が行われると、伝票挿入検出センサＳＥ２がＯＮとなる。制御部３２はこのＯＮ信号を受けた時点で伝票３の先端アドレス値Ｆｐ＝０（ゼロ）をセットして先端位置出しが完了する。以降の伝票搬送は伝票ＬＦモータ２０の回転パルス数に従って先端アドレス値Ｆｐも更新される。
【００２７】
ステップＳ７にて先端位置出しが完了したら、伝票幅検出センサＳＥ６の検知状態を確認する（Ｓ８）。挿入されている伝票３の横幅が１６０ｍｍ以上、即ち光軸が遮断されていればフラグ＝１をセットし（Ｓ９）、１６０ｍｍ以下であればフラグ＝０のままとして記憶部３３に一時記憶させる。
【００２８】
制御部３２が吸入指示を発信すれば、ブレード１２を回動させて共通搬送路１３への接続ルートを構築して、伝票ＬＦモータ２０を駆動させて伝票３の吸入を開始する（Ｓ１０）。制御部３２は伝票吸入開始に伴って、伝票３の後端通過の監視を開始する。伝票３の吸入が進み伝票挿入検出センサＳＥ２がＯＦＦしたら後端アドレス値Ｔｐ＝０（ゼロ）をセットする。この後端アドレス値Ｔｐも伝票ＬＦモータ２０の回転パルス数に従って更新される（Ｓ１１）。
伝票ＬＦモータ２０の駆動により、所定の印字行まで搬送された伝票３に印字処理を行う（Ｓ１２）。なお、印字が複数行に渡るときには言うまでもなく改行しての次行印字となる。伝票３の最終行の印字が終了したら、後端アドレス値Ｔｐの読み出しを行う。ここで伝票３の縦寸法が大きい場合には伝票挿入検出センサＳＥ２がＯＮ状態である場合もあるため、伝票挿入検出センサＳＥ２の状態を確認する（Ｓ１３）。
【００２９】
ステップＳ１１で伝票挿入検出センサＳＥ２＝ＯＦＦであれば、後端アドレス値Ｔｐが存在するはずであるので、制御部３２は先端アドレス値Ｆｐから後端アドレス値Ｔｐの減算（演算）を行う（Ｓ１４）。
【００３０】
演算された縦長さ情報は、例えば「４ＢＡ（１６進数）」であれば図６（ｂ）に示したように測定値符号Ｘ１に該当し、「９７３」や「ＡＦ６」であれば測定値符号Ｘ４に該当することになる。なお、演算により得られた数値（１６進数）に１／２４０インチを乗算すれば伝票３の縦長さが算出できることになる。よって、「４ＢＡ（１６進数）」は１０進数で１２１０を意味し、この数値に１／２４０インチを乗算すると縦１２８ｍｍとなり、同様に「９７３」は縦２５６ｍｍ，「ＡＦ６」は縦２９７ｍｍの伝票であることになる。
【００３１】
伝票挿入検出センサＳＥ２がＯＮ状態であれば、後端位置アドレス値Ｔｐ≦０として演算を行う。この場合の縦長さは不確定でその値以上の長さを有するものとして処理される（Ｓ１５）。
【００３２】
伝票３の縦長さが測定され、図６（ｂ）に示すような値になったらその縦長さに応じた排出位置情報が記憶部３３から読み出されて伝票３の移動先の先端位置アドレス値として指定される（Ｓ１６）。
【００３３】
制御部３２は伝票ＬＦモータ１９を制御して、縦長さ符号（Ｘ１〜Ｘ４）のそれぞれに割り当てられている排出位置まで搬送する（Ｓ１７）。本実施例では先端位置アドレスＦｐが該当する排出位置（アドレス）と一致するまで搬送されることになり、排出位置としては図１に示す、Ａ，Ｂ位置とする。以下符号Ｘ１〜Ｘ４までの縦長さに対しての排出位置をそれぞれ説明する。
【００３４】
符号Ｘ１の場合には、伝票搬送路１０における位置Ａに伝票３の先端が達するまで排出してプレッシャローラ８を開放する。伝票３の縦長さが比較的に小さいのでこの排出位置においては図８（ａ）に示すように伝票挿入ステージ１０ａ上に伝票３のほぼ全面が乗っていることになり、係員が手先を伝票挿入ステージ１０ａ上に乗せて引き抜くことが容易にできる。この時に通帳２が排出されていても通帳２には触れることなく操作できる。
【００３５】
符号Ｘ２の場合には、伝票搬送路１０における位置Ｂに伝票３の先端が達するまで排出してプレッシャローラ８を開放する。伝票３の縦長さは中程度であり、この排出位置においては図８（ｂ）に示すように伝票搬送路１０の内部まで伝票３の先端側が入り込んでいる。そして伝票３の後端（図示左端側）は伝票挿入ステージ１０ａ上に乗っていることになり、係員が手先を伝票挿入ステージ１０ａ上に乗せて引き抜くことが容易にできる。更に伝票搬送路１０における接触摩擦負荷により伝票３の落下することが防止できる。
【００３６】
符号Ｘ３の場合には、まず、ステップＳ９におけるフラグ情報により排出位置の選択が行われ、フラグ＝０のときには位置Ｂまで排出してプレッシャローラ８を開放する。伝票３の縦長さはやや長いものであり、この排出位置においては図８（ｃ）に示すように伝票搬送路１０の内部まで伝票３の先端側が入り込んでおり、そして伝票３の後端は伝票挿入ステージ１０ａ上から垂れ下がり、通帳挿入ステージ７ａ上に乗っていることになる。しかしながら、伝票３の横幅が１６０ｍｍ以下であるので伝票挿入ステージ１０ａから垂れ下がっている右手前の空間に手先を入れての引き抜くこと容易にできる。
【００３７】
フラグ＝１の時には、挿入されている伝票３の横幅が１６０ｍｍ以上であり、伝票搬送路１０における位置Ａまで搬送する。搬送が終了したら幅寄モータ２４を回転させて、伝票３を幅寄ローラ２５の突起部２５ａとアイドルローラ２６とにより挟持させる。挟持したあとでプレッシャローラ８を開放する。この状態では伝票３の後端は通帳挿入ステージ７ａの前側まで垂れ下がっているので、通帳挿入ステージ７ａの前側空間から手先を入れての引き抜きができる。
【００３８】
最後に符号Ｘ４の場合を説明すると、前述した符号Ｘ３，フラグ＝１の時と同様に伝票搬送路１０における位置Ａまで排出し、かつ、幅寄ローラ２５の突起部２５ａとアイドルローラ２６とにより挟持させることにより、通帳挿入ステージ７ａから装置手前に伝票３が落下することなく伝票３の引き抜きが容易にできる。
伝票３の排出が行われると、待機している通帳２の処理を再開する（Ｓ１８）。この処理内容としては、まず、ブレード１２を開放させて通帳搬送路７と共通搬送路１３を結合させて、磁気ストライプリードライト部１４にて磁気ストライプの書替を行ってから通帳２の排出を行う（Ｓ１９）。通帳挿入検出センサＳＥ１および伝票挿入検出センサＳＥ２がＯＦＦしたら、それぞれ通帳２および伝票３が係員により抜き取られたと判断して処理を完了する（Ｓ２０）。
【００３９】
以上説明した媒体処理装置は、通帳挿入ステージ７ａ及び伝票挿入ステージ１０ａに直近のプレッシャローラ４，９のみを通帳クランプマグネット２２，伝票クランプマグネット２３で動作させた。その他のプレッシャローラについては常時フィードローラと圧接している構成としたが、全てにマグネットを配したプレッシャローラＯＮ／ＯＦＦ方式を採用すればブレード１２を切替えたままで排出完了とすることも可能である。更に、伝票幅検出センサＳＥ６（媒体幅信号）によって、排出位置を切換えたが、通帳搬送路７内に通帳２があるか否かに従って排出位置を切換えることもできる。
【００４０】
次に本発明の第２の実施の形態を説明する。第１の実施の形態のでは伝票の排出について説明したが、通帳の待機位置において通帳下部が通帳挿入ステージ側に突出している場合がある。第２の実施の形態では、前述した「連続取引時」に通帳の抜き取りを想定した動作について対応するものである。
【００４１】
図９は本発明の第２の実施の形態の動作フローチャートであり、図１０はその動作工程図である。これらの図を用いて説明するが媒体処理装置としては第１の実施の形態で説明したものとほぼ同一であり、異なる点は通帳搬送路にも通帳幅寄機構を付加したものである。この幅寄機構は伝票側のそれと同一でも良いし、特開昭６１−２０６６８０号公報、特開昭６１−２１７４４９号公報及び実開昭６２−８６３５４号公報等により開示されているので説明を省略する。
【００４２】
通帳および伝票処理モードにおいて、係員が通帳挿入ステージ７ａから通帳２を挿入すると通帳挿入検出センサＳＥ１がこれを検出する。通帳ＬＦモータ１９を回転駆動して通帳２を磁気ストライプリードライト部１４まで吸入して磁気ストライプ（ＭＳ）の読取りを行う。磁気ストライプの読取りが行われるとプラテン１７まで搬送され、印字ヘッド１６により印字処理が行われることになる（Ｓ２１）。
【００４３】
複数取引分の印字が行われ、印字すべき記帳データがなくなると、図１０（ａ）に示すように通帳２を通帳搬送路５内のブレード１２が動作しても触れない通帳待機位置まで搬送して待機状態に入る（Ｓ２２）。
【００４４】
第１の伝票３が挿入されると伝票挿入検出センサＳＥ２がこれを検出することになる。まず、制御部３２はこの検知信号を受けて伝票クランプマグネット２３を励磁させて第１の伝票３を挟持する。制御部３２が伝票吸入指示を発信すれば、ブレード１２を切換えて（Ｓ２３）、伝票ＬＦモータ２０を駆動させて所定の印字行まで搬送した第１の伝票３に対して印字処理を行う（Ｓ２４）。
【００４５】
伝票印字が終了すると、制御部３２は伝票ＬＦモータ２０を制御して、図１０（ｂ）に示すように第１の実施の形態で説明した排出位置まで搬送する（Ｓ２５）。制御部３２は第１の伝票３が所定の排出位置まで搬送されると、直ちにブレード１２を開放させて通帳搬送路７と共通搬送路１３を結合させる（Ｓ２６）。続いて通帳ＬＦモータ１９を駆動させて通帳２を図１０（ｃ）に示す位置まで吸入させる。この吸入量は通帳挿入ステージ７ａ上において係員が通帳２に触れることができなくなる量であり、おおよそ４ｃｍ〜６ｃｍ程度である（Ｓ２７）。ステップＳ２４にて排出された第１の伝票３が係員により抜き取られると、第２の伝票３を挿入するように係員誘導がおこなわれ、係員は図１０（ｄ）に示すように第２の伝票３を挿入する（Ｓ２８）。
【００４６】
第２の伝票３が挿入されると伝票挿入検出センサＳＥ２がこれを検出し、伝票クランプマグネット２３を励磁させて第２の伝票３を挟持する。制御部３２は通帳２を通帳搬送路５内を搬送させて図１０（ｅ）に示す待機位置まで搬送する（Ｓ２９）。続いて制御部３２はブレード１２の切換指示を発信した後で（Ｓ３０）、伝票ＬＦモータ２０を駆動させ、図１０（ｆ）に示すようにして所定の印字行まで搬送された第２の伝票３に印字処理を行う（Ｓ３１）。
【００４７】
伝票印字が終了すると、制御部３２は伝票ＬＦモータ２０を制御して、第１の実施の形態で説明した排出位置まで搬送する（Ｓ３２）。制御部３２は第２の伝票３が所定の排出位置まで搬送されると、直ちにブレード１２を開放させて通帳搬送路７と共通搬送路１３を結合させて待機している通帳２の処理を再開する（Ｓ３３）。
【００４８】
この通帳２の再吸入時において、係員が通帳２を誤って引き抜いた場合や、第２の伝票３（第１の伝票についても同様）を取出す際に通帳２に触れて通帳２にスキューが発生している場合がある。制御部３２はこの場合を想定してステップＳ２９における通帳待機位置への移動が完了した時点からセンサ監視して、通帳挿入検出センサＳＥ１の状態変化有無を検知する（Ｓ３４）。
【００４９】
通帳挿入検出センサＳＥ１がＯＮ状態（状態変化なし）であれば係員による「抜取なし」と判定して、磁気ストライプリードライト部１４まで搬送して磁気ストライプの更新を行う（Ｓ３５）。なお、説明を省略していたが一般的な装置では磁気情報の更新前において、通帳２を通帳挿入ガイド（基準面）側に引き寄せる通帳幅寄プログラムが組み込まれているので、例えばスキューが発生していても磁気ストライプの更新前に修正される。磁気ストライプ（ＭＳ）の更新が完了したら、通帳挿入ステージ７ａ上から抜き取り可能な位置まで搬送して処理が完了する（Ｓ３６）。
【００５０】
ステップＳ３４において、通帳挿入検出センサＳＥ１がＯＦＦ状態（状態変化あり）であれば係員により通帳２が抜き取られたとして処理を進める。制御部３２は図示しない表示部に「処理が終了しておりません、通帳を再セットしてください」と表示して係員に通帳再挿入を促す（Ｓ３７）。係員が通帳２を再挿入すると、通帳挿入検出センサＳＥ１がＯＮになり（Ｓ３８）、前述した手順で通帳２を取り込み通帳２の磁気ストライプを読み取る（Ｓ３９）。この読み取った磁気情報とステップＳ２１にて読み取った磁気情報が同一であれば、「通帳一致」と判定して（Ｓ４０）、以降の処理を行う。なお、磁気情報の一致が見られない場合には「通帳不一致」として通帳２の排出を行う（Ｓ４１）。
【００５１】
以上説明した「連続取引」において、係員が伝票３の排出を目視してから手を伸ばして取り出すまでの時間内には通帳２の内部への取り込みが完了するので、誤って抜き取られることは少ないが、係員が通帳挿入ステージ７ａや伝票挿入ステージ１０ａの近傍まで手を伸ばして、排出待ちの姿勢を採っている場合がある。このような時には通帳２の抜き取りや通帳スキューが発生する可能性があるが、誤って抜き取ったことに気付き、再挿入すれば装置側で通帳の同一性を確認するので、処理が中断になることはない。
【００５２】
通帳の同一性の確認動作を磁気ストライプの読取りにより行う説明をしたが、これに限定されるものではなく、例えば、印字した印字済み情報を光学的に読取ったり、外形サイズを検出して比較することなどでも可能である。
【００５３】
【発明の効果】
以上、説明した本発明は次の効果を奏する。処理された伝票を排出する際に、伝票縦長さ情報に加えて伝票幅検出センサからの信号に従って伝票の排出位置を切換えるので伝票の後端が伝票の挿入口より垂れ下がらなくなる。また、伝票縦長さにより通帳の挿入口側を覆ってしまうことがあっても伝票横幅が小さい時であれば通帳の排出が目視で確認できる。更に、長尺の伝票では装置前面の通帳挿入ステージから垂れ下がるまで排出するので伝票を手に取り易い。このときには伝票の先端を幅寄せ機構がクランプしているので落下することはない。
【００５４】
通帳搬送路に待機中の通帳が存在し、その通帳の一部が通帳挿入ステージ上に突出しているときに伝票が排出されても、即時、通帳を通帳挿入ステージ上に突出しなくなるまで一旦装置内部に取込むので、誤って係員が通帳を引き抜く可能性がない。万一、引き抜かれた場合を想定して引抜検知し、通帳の同一性の確認をも行うので処理を中断することがない。
【図面の簡単な説明】
【図１】本発明の媒体処理装置の媒体挿入部を示す概略側面図である。
【図２】本発明の媒体処理装置全体を示す概略側面図である。
【図３】本発明の媒体処理装置の制御ブロック図である。
【図４】本発明の媒体処理装置の伝票挿入部を示す斜視図である。
【図５】本発明のＣ−Ｃ矢視図である。
【図６】本発明の媒体寸法と判定符号関係を示す説明表である。
【図７】本発明の動作フローチャートである。
【図８】本発明の媒体排出状態図である。
【図９】本発明の第２の実施の形態の動作フローチャートである。
【図１０】本発明の第２の実施の形態における動作工程図である。
【符号の説明】
１  媒体処理装置
２  第１の媒体（通帳）
３  第２の媒体（伝票）
７  第１の媒体搬送路（通帳搬送路）
７ａ  通帳挿入ステージ
１０  第２の媒体搬送路（伝票搬送路）
１０ａ  伝票挿入ステージ
１１  合流部
１２  共通搬送路
１９  通帳ＬＦモータ
２０  伝票ＬＦモータ
２１  共通ＬＦモータ
２２  通帳クランプマグネット
２３  伝票クランプマグネット
ＳＥ１  通帳挿入検出センサ
ＳＥ２  伝票挿入検出センサ
【図１】
0004182606.tif 000002
【図２】
0004182606.tif 000003
【図３】
0004182606.tif 000004
【図４】
0004182606.tif 000005
【図５】
0004182606.tif 000006
【図６】
0004182606.tif 000007
【図７】
0004182606.tif 000008
【図８】
0004182606.tif 000009
【図９】
0004182606.tif 000010
【図１０】
0004182606.tif 000011